(57)【要約】【課題】製品の種類及びサイズ等に応じて組み立て工程の切り替えをスムーズに行うことができ、生産効率を向上できる管理システム及び管理方法を提供する。【解決手段】磁気テープカートリッジの生産工程を管理する管理システム及び管理方法であって、生産工程を制御し、磁気テープカートリッジの製品情報を管理する管理サーバと、所定の仕様に応じて磁気テープをテープリールに巻き込む複数のテープ巻き込み装置と、磁気テープを巻き込んだテープリールをカートリッジケースに組み付ける組立装置とを有し、テープ巻き込み後に、磁気テープカートリッジに組み付けられるカートリッジメモリに、製品の仕様を示す製品情報を記録する製品情報記録手段と、カートリッジメモリから製品情報を読み取り、管理サーバが、製品情報に基づいて後の生産工程で製造する磁気テープカートリッジの仕様の設定を切り替える制御信号を出力する。【選択図】図３
2008117442.tif 000002
【特許請求の範囲】
【請求項１】
磁気テープカートリッジの生産工程を管理する管理システムであって、
生産工程を制御し、前記磁気テープカートリッジの製品情報を管理する管理サーバと、
所定の仕様に応じて磁気テープをテープリールに巻き込む複数のテープ巻き込み装置と、
磁気テープを巻き込んだテープリールをカートリッジケースに組み付ける組立装置とを有し、
テープ巻き込み後に、磁気テープカートリッジに組み付けられるカートリッジメモリに、製品の仕様を示す製品情報を記録する製品情報記録手段と、
前記カートリッジメモリから前記製品情報を読み取り、前記製品情報に基づいて後の生産工程で製造する磁気テープカートリッジの仕様の設定を切り替えることを特徴とする管理システム。
【請求項２】
前記製品情報が、製品の種類及びサイズの少なくとも１つであることを特徴とする請求項１に記載の管理システム。
【請求項３】
前記製品情報には、生産履歴情報が記録されていることを特徴とする請求項１又は２に記載の管理システム。
【請求項４】
磁気テープカートリッジの生産工程を管理する管理方法であって、
生産工程を制御し、前記磁気テープカートリッジの製品情報を管理サーバによって管理し、
所定の仕様に応じて磁気テープを複数のテープ巻き込み装置によってテープリールに巻き込む工程と、
磁気テープを巻き込んだテープリールをカートリッジケースに組み付ける工程と、
テープ巻き込み後に、磁気テープカートリッジに組み付けられるカートリッジメモリに、製品の仕様を示す製品情報を記録する工程と、
前記カートリッジメモリから製品情報を読み取り、前記製品情報に基づいて後の生産工程で製造する磁気テープカートリッジの仕様の設定を切り替えることを特徴とする管理方法。
【請求項５】
前記製品情報が、製品の種類及びサイズの少なくとも１つであることを特徴とする請求項４に記載の管理方法。
【請求項６】
前記製品情報には、生産履歴情報が記録されていることを特徴とする請求項４又は５に記載の管理方法。
【発明の詳細な説明】
【技術分野】
【０００１】
本発明は、磁気テープカートリッジの生産工程において、製品の種類及びサイズに応じて組み立て工程の切り替えを行う管理システム及び管理方法に関する。
【背景技術】
【０００２】
一般に、磁気テープカートリッジの生産工程では、図６に示すように、テープリールに磁気テープを巻き込むテープ巻き込み工程と、磁気テープを巻き込んだテープリールをカートリッジケースに装填する組立工程と、組み立てられた磁気テープカートリッジを検査する工程と、検査した磁気テープカートリッジを集積する工程が順次に実行される。生産工程は、通常、各工程を管理する管理サーバによって管理されている。管理サーバは、生産工程の手順及び進行を示すプログラムが入力されており、該プログラムに基づいて各工程において処理を実行する装置の制御端末に制御信号を出力することで、生産工程を制御している（例えば、下記特許文献参照）。
【０００３】
管理サーバには、生産工程を実行するプログラムだけでなく、実際に行った工程に関する生産履歴情報（以下、トレサ情報という。）、例えば、磁気テープがどのサーボライタによりサーボ信号が記録されたかなどを示す情報を、データベースに記憶している。そして、磁気テープカートリッジの製品の製造後において、製品のトレサ情報を調査する場合に、データベースからトレサ情報を検索、抽出、及び、照会などを行うことができるように、データが保存されている。
【０００４】
【特許文献１】特開２００４−１６４４５２号公報
【発明の開示】
【発明が解決しようとする課題】
【０００５】
ところで、図７に示すように、従来の製造工程では、複数のワインダーと称される巻き込み装置によって巻き込みを終了した後、管理サーバから全てのテープ巻き込み装置に対して、同時に、巻き込む磁気テープカートリッジの製品の種類やサイズの切り替えを行うように制御している。この理由としては、後の工程で、製品の種類やサイズによって製造装置の設定を切り替える必要があるからである。しかし、通常、テープ巻き込み工程では、多数の台数テープ巻き込み装置を同時に稼動しており、一台でも磁気テープの巻き込みが終了していない場合には、その時点で製造している製品の種類及びサイズからの切り替えを実行することができず、全部のテープ巻き込み装置の巻き込みが終わるのを待機している必要があり、時間的なロスとなっていた点で改善の余地があった。
【０００６】
本発明は、上記事情に鑑みてなされたもので、その目的は、製品の種類及びサイズに応じて組み立て工程の切り替えをスムーズに行うことができ、生産効率を向上できる管理システム及び管理方法を提供することにある。
【課題を解決するための手段】
【０００７】
本発明の上記目的は、下記の構成によって達成される。
（１）磁気テープカートリッジの生産工程を管理する管理システムであって、生産工程を制御し、前記磁気テープカートリッジの製品情報を管理する管理サーバと、所定の仕様に応じて磁気テープをテープリールに巻き込む複数のテープ巻き込み装置と、磁気テープを巻き込んだテープリールをカートリッジケースに組み付ける組立装置とを有し、テープ巻き込み後に、磁気テープカートリッジに組み付けられるカートリッジメモリに、製品の仕様を示す製品情報を記録する製品情報記録手段と、前記カートリッジメモリから前記製品情報を読み取り、前記製品情報に基づいて後の生産工程で製造する磁気テープカートリッジの仕様の設定を切り替えることを特徴とする管理システム。
（２）前記製品情報が、製品の種類及びサイズの少なくとも１つであることを特徴とする上記（１）に記載の管理システム。
（３）前記製品情報には、生産履歴情報が記録されていることを特徴とする上記（１）又は（２）に記載の管理システム。
（４）磁気テープカートリッジの生産工程を管理する管理方法であって、生産工程を制御し、前記磁気テープカートリッジの製品情報を管理サーバによって管理し、所定の仕様に応じて磁気テープを複数のテープ巻き込み装置によってテープリールに巻き込む工程と、磁気テープを巻き込んだテープリールをカートリッジケースに組み付ける工程と、テープ巻き込み後に、磁気テープカートリッジに組み付けられるカートリッジメモリに、製品の仕様を示す製品情報を記録する工程と、前記カートリッジメモリから製品情報を読み取り、前記製品情報に基づいて後の生産工程で製造する磁気テープカートリッジの仕様の設定を切り替えることを特徴とする管理方法。
（５）前記製品情報が、製品の種類及びサイズの少なくとも１つであることを特徴とする上記（４）に記載の管理方法。
（６）前記製品情報には、生産履歴情報が記録されていることを特徴とする上記（４）又は（５）に記載の管理方法。
【０００８】
本発明は、磁気テープカートリッジの生産時に、テープカートリッジに組み付けられるカートリッジメモリに、磁気テープカートリッジの仕様を示す製品情報を記録している。従来では、カートリッジメモリには生産履歴情報のみが記録されているだけであるが、本発明によれば、カートリッジメモリに記録された製品情報に基づき、生産工程中であっても、その後の工程において製品の使用に応じて製造装置の設定などを適宜切り替えることが可能となる。このため、従来では、全ての巻き取り装置による巻き取り工程が終了するまで次の組立工程を開始することができなかったが、製品情報を参照して切り替えることで、巻き取りの終了した磁気テープから組立工程を開始することができるため、他の巻き込み装置の巻き込みが終わるのを待つ必要がなく、製造にかかる時間を短縮することができる。また、本発明によれば、カートリッジメモリの製品情報を参照することによって、各製造装置の設定を調整できるため、製造工程を行う各ラインを混流させることもでき、製品の種類やサイズの変更に伴う生産工程の設計の変更を行う必要がない。
【発明の効果】
【０００９】
本発明によれば、製品の種類及びサイズ等に応じて組み立て工程の切り替えをスムーズに行うことができ、生産効率を向上できる管理システム及び管理方法を提供できる。
【発明を実施するための最良の形態】
【００１０】
以下、本発明の実施形態を図面に基づいて詳しく説明する。図１は、本実施形態で説明する生産工程で製品として生産される磁気テープカートリッジの構成を説明する図である。
【００１１】
図１に示すように、磁気テープカートリッジ１は、概略的に、プラスチックなどの樹脂によって成型されたカセットハーフ２と、上カセットハーフ３とからなるカートリッジケースの中に、磁気テープが巻き取られたテープリール４を収容するように構成されている。下カセットハーフ２及び上カセットハーフ３には、磁気記録再生時に磁気テープを外へ引き出すための開口部が形成され、開口部を開閉自在に取り付けられたシャッタ６が設けられている。また、磁気テープカートリッジ１のカセットケースには、製品のトレサ情報が記録されたカートリッジメモリ８が内蔵されている。
【００１２】
図２は、カートリッジメモリの構成を示す図である。カートリッジメモリ８は、略矩形状の部材であって、その一部にＩＣチップ８ａが形成され、その他の部位に、アンテナ配線部８ｂが形成されている。なお、カートリッジメモリ８の形状や構成は特に限定されず、後述するトレサ情報や製品情報を記録することができる構成であれば、適宜変形してもよい。
【００１３】
磁気テープカートリッジの製品を製造する生産工程は、主に、サーボライト工程と、巻き込み工程と、組立工程と、検査工程と、集積とを有している。
【００１４】
サーボライト工程では、サーボライタなどのサーボ信号書き込み装置によって、パンケーキと称される磁気テープの原反の磁気テープにサーボ信号を書き込む処理が行われる。本実施形態において、サーボ信号書き込み装置が製品情報記録手段として機能する。
【００１５】
テープ巻き込み工程では、サーボライト工程でサーボ信号が書き込まれた磁気テープをワインダーなどのテープ巻き込み装置を用いて、予め装置に保持された空のテープリールに巻き込んでいく処理が行われる。なお、巻き込み工程では、通常、複数台のテープ巻き込み装置が、同時に使用される。
【００１６】
組立工程では、サーボライト工程でサーボ信号を書き込まれた原反から磁気テープを取り出した後、テープ巻き込み装置にセットし、巻き込み工程においてテープリールに巻回する。巻き込みが終了した後、組み立て磁気テープが巻回されたテープリールを下カセットハーフ２に載せ、シャッタ６やカートリッジメモリ８を組み付け、下カセットハーフ２及び上カセットハーフ３をビスなどで互いに固定し、カートリッジケースを組み立てる。
【００１７】
検査工程では、磁気テープにデータの書き込み及び読み取りの試験を行い、記録特性の不良の有無を検査する工程である。検査されたカートリッジケースは、所定の位置に搬送されて集積される。
【００１８】
次に、磁気テープカートリッジの生産工程を管理する管理システムについて説明する。図３は、本実施形態の管理システムのシステム構成を示す図である。
磁気テープカートリッジ１の生産工程では、工程ごとに設置された製造装置が、それぞれ管理サーバ１２にＬＡＮ（Local Area Network）によって接続されている。それぞれの製造装置には、制御端末が設けられ、制御端末が管理サーバ１２からの制御信号を受信することで、各製造装置の駆動開始のタイミングを制御することができる。
【００１９】
本実施形態では、管理サーバ１２には、磁気テープの巻き込みを行うテープ巻き込み装置２２と、磁気テープが巻回されたテープリールをカートリッジケースに組み付け、磁気テープカートリッジ１を組み立てる組立装置３２とが、それぞれＬＡＮを介して接続されている。
【００２０】
テープ巻き込み装置２２は、複数台が使用され、それぞれにカートリッジメモリ８に製品情報を書き込みを行うカートリッジメモリ記録装置（以下、ＣＭ記録装置ともいう。）２４を備えている。ＣＭ記録装置２４は、管理サーバ１２の制御信号に基づいて、カートリッジメモリ８に近づけることで、非接触状態で書き込みが可能である。なお、ＣＭ記録装置２４がテープ巻き込み装置２２と別に設けられている構成としてもよい。
【００２１】
組立装置３２は、カートリッジメモリ８に書き込まれた製品情報を読み込むためのＣＭ読取装置３４が設けられている。組立装置３２は、組立工程を開始する前に、ＣＭ読取装置３４から読み込んだ製品情報を管理サーバ１２に出力し、管理サーバ１２によってデータを参照することで、磁気テープカートリッジ１の製品の仕様に応じた品種やサイズに切り替えて組立工程を行う。
【００２２】
製品情報とは、例えば、磁気テープカートリッジの仕様に基づいて設定されている製品の種類及びサイズの少なくとも一つを含むものである。
製品の種類とは、例えば、LTO  UL3などがある。製品のサイズとは、例えば、最大記憶容量400 GB，800GB（ギガバイト）などがある。
【００２３】
また、カートリッジメモリ８には、従来と同様に、生産履歴を示すトレサ情報を記録することもできる。
【００２４】
次に、本実施形態の生産工程の管理手順を説明する。なお、以下で説明する管理手順においては、図１に示す磁気テープカートリッジ、及び、図３に示す管理システムを適宜参照するものとする。
図４は、管理手順を示すフローチャートである。
最初に、サーボライト工程を行い磁気テープの原反にサーボ信号を記録する。そして、サーボ信号が記録された磁気テープをテープ巻き取り装置へ搬送し、セットする（ステップＳ１）。管理サーバ１２より制御信号によって複数のテープ巻き込み装置２２にテープ巻き込みの開始を指示する（ステップＳ２）。
【００２５】
テープ巻き込み装置２２のうち、磁気テープの巻き込みが終わったテープ巻き込み装置はＣＭ記録装置２４によってカートリッジメモリ８に製品情報を書き込む（ステップＳ３）。
【００２６】
図５は、カートリッジメモリに記録されるデータを示す。
カートリッジメモリ８には、それぞれに識別のためのカートリッジメモリＩＤが付されている。また、各カートリッジメモリＩＤごとに、磁気テープカートリッジの製品に基づく種類を示すデータと、製品に基づくサイズを示すデータとが記録される。カートリッジメモリＩＤとしては、例えば、「１１１１１」、「１１１１２」などの数字や記号又はこれらを組み合わせたものを用いる。種類を示すデータとして、例えば、「Ｘ」、「Ｙ」、「Ｚ」などの記号がふされる。サイズを示すデータとして、例えば、「Ａ」、「Ｂ」、「Ｃ」などの記号がふされる。
また、カートリッジメモリＩＤには、製品情報を書き込んだテープ巻き込み装置を識別するための数字や記号を配列してなる装置番号が記録される。
さらに、カートリッジメモリ８には、組立工程において組み付けられるカートリッジケースを識別するためのカートリッジケースＩＤが記録されている。カートリッジケースＩＤとしては、例えば、「０７１４３０」などの数字が付される。カートリッジメモリ８には、検査工程において、磁気テープカートリッジ１の検査結果を示すデータが書き込まれていてもよい。磁気テープカートリッジ１の検査結果を示すデータとしては、例えば、検査結果が正常の場合は「０」、欠陥などの異常が検出されば場合は「１」が記録されている。
【００２７】
図５に示すカートリッジメモリごとのデータテーブルが、管理サーバに記録されていてもよい。こうすれば、使用者は、製造後において製造ラインの各端末から管理サーバ１２のデータテーブルを参照することで、カートリッジメモリ８に書き込まれている情報を参照することもできる。
【００２８】
図４に示すように、テープ巻き込み工程後、組立工程においてカートリッジメモリ８の製品情報が読み込まれる（ステップＳ４）。組立装置３２は、読み込んだ製品情報に基づいて、その製品の品種やサイズに合わせて組立装置を切り替える（ステップＳ５）。そして、適正な切り替えを行った後、組立工程を実行する（ステップＳ６）。組立工程が終了した後、磁気テープカートリッジ１が生産ラインの検査領域に搬送され、検査工程が行われ（ステップＳ７）、検査結果に応じて所定の場所に集積される。
【００２９】
磁気テープカートリッジ１の生産時に、テープカートリッジに組み付けられるカートリッジメモリ８に、磁気テープカートリッジ１の仕様を示す製品情報を記録している。従来では、カートリッジメモリ８には生産履歴情報のみが記録されているだけであるが、本発明によれば、カートリッジメモリ８に記録された製品情報に基づき、生産工程中に製品情報を参照しつつ、その後の工程において製品の使用に応じて製造装置の設定などを適宜切り替えることが可能となる。このため、従来では、全てのテープ巻き取り装置２２による巻き取り工程が終了するまで次の組立工程を開始することができなかったが、製品情報を参照して切り替えることで、巻き取りの終了した磁気テープから組立工程を開始することができるため、他の巻き込み装置の巻き込みが終わるのを待つ必要がなく、製造にかかる時間を短縮することができる。また、本発明によれば、カートリッジメモリ８の製品情報を参照することで、各製造装置の設定を調整できるため、製造工程を行う各ラインを混流させることもでき、製品の種類やサイズの変更に伴う生産工程の設計の変更を行う必要がない。
【図面の簡単な説明】
【００３０】
【図１】磁気テープカートリッジの構成を説明する図である。
【図２】カートリッジメモリの構成を示す図である。
【図３】管理システムのシステム構成を示す図である。
【図４】生産工程の管理方法の手順を示すフローチャートである。
【図５】カートリッジメモリのデータテーブルの一例を示す図である。
【図６】磁気テープカートリッジの生産工程を示すフローチャートである。
【図７】従来の生産工程における、テープ巻き込み工程から組立工程への手順を示すフローチャートである。
【符号の説明】
【００３１】
１    磁気テープカートリッジ
８    カートリッジメモリ
１２    管理サーバ
２２    テープ巻き込み装置
３２    組立装置
【図１】
2008117442.tif 000003
【図２】
2008117442.tif 000004
【図３】
2008117442.tif 000005
【図４】
2008117442.tif 000006
【図５】
2008117442.tif 000007
【図６】
2008117442.tif 000008
【図７】
2008117442.tif 000009